(57)【特許請求の範囲】
【請求項１】
貫通穴（６）が設けられていて密封パッケージ（１）の差込み部分（４）の周囲に取り付けられたフレーム（５）と、
前記フレーム（５）に螺合されて前記貫通穴（６）を閉じるようになっている取り外し可能なねじ付きのキャップ（７）と、
前記貫通穴（６）に移動可能に挿入され、前記密封パッケージ（１）を開封して前記フレーム（５）からキャップ（７）を取外す間に、前記キャップに対して該キャップ（７）の回転方向に連結され、前記差込み部分（４）を前記密封パッケージ（１）から部分的に切り離すために前記フレーム（５）から前記密封パッケージ（１）の内部へ向かって前記貫通穴（６）の中心軸線（Ａ）の方向に突出するようになっている管状の切断部材（８）とを備えた、流動食品を収容した密封パッケージ（１）用の閉栓可能な開口装置（２）であって、
食品を注ぐときに密封パッケージ（１）内に空気を入れるために、前記切断部材（８）の側壁（２９）に、互いに前記貫通穴（６）の中心軸線（Ａ）の方向へ変位した位置にあり、したがって前記側壁（２９）の円周方向へ互いに整合していない複数の貫通孔（５０）が設けられていることを特徴とする開口装置。
【請求項２】
前記フレーム（５）が、前記キャップ（７）を受け止める円筒形のカラー（１０）を有していて、そのカラー（１０）の内側に前記貫通穴（６）が設けられており、また前記開口装置（２）が、前記カラー（１０）の内周面に形成された第１のねじ（１４）と、前記切断部材（８）の外周面（２９ａ）に形成されて前記第１のねじ（１４）に係合する第２のねじ（１６）と、前記カラー（１０）の外周面に形成されて前記第１のねじ（１４）とは逆に傾斜された第３のねじ（１３）と、前記キャップ（７）の内周面に形成されて前記第３のねじ（１３）と係合する第４のねじ（１５）とを有することを特徴とする請求項１に記載された開口装置。
【発明の詳細な説明】
【０００１】
【発明の属する技術分野】
本発明は、流動食品の密封パッケージ用の閉栓可能な開口装置に関する。
【０００２】
【従来の技術】
周知のように、フルーツ・ジュース、ＵＨＴ（超高温処理）ミルク、ワイン、トマト・ジュースなどの多くの流動食品は殺菌包装材料で形成されたパッケージに詰めて販売されている。
【０００３】
そのようなパッケージの典型例はＴｅｔｒａ  Ｂｒｉｋ  Ａｓｅｐｔｉｃ（テトラ・ブリック・アセプティック）（登録商標）として知られた液体または流動食品用の平行六面体の形状をしたパッケージであり、このパッケージは積層された帯状の包装材料を折り曲げおよびシール処理して形成される。この包装材料は複層構造を有しており、両面を例えばポリエチレンのような熱シール可能材料の層で被覆された例えば紙のような繊維材料の層を含み、ＵＨＴミルクのような長期保存食品用の無菌パッケージの場合には、例えばアルミニウム薄膜で形成された酸素遮蔽材料の層をさらに含み、この遮蔽層は熱シール可能材料の層の上に重ねられると共に、最終的に食品に接触するパッケージ内面を形成するさらに別の熱シール可能なプラスチック材料の層によって覆われる。
【０００４】
このようなパッケージは一般に全自動の包装機械で製造されており、包装機械においてはウェブ状の給送される包装材料から連続したチューブが形成され、その包装材料ウェブは包装機械自体において例えば過酸化水素溶液のような化学殺菌剤を付与することで殺菌されるのであり、殺菌後に化学殺菌剤は例えば加熱による蒸発によって包装材料の表面から除去され、またこのように殺菌された包装材料ウェブは密閉された殺菌環境の中に保持され、垂直なチューブを形成するように長手方向に折り曲げられてシールされる。
【０００５】
チューブは殺菌されたまたは無菌処理された食品を充填され、シールされ、そして等間隔の横断部分において切断されて枕形のパックに形成されるのであり、このパックはその後例えば実質的に平行六面体の形状のような完成体のパッケージを形成するように機械的に折り曲げられる。
【０００６】
これに代えて、包装材料は切断されて素材に形成され、この素材は形成スピンドル上で包装機械に形成され、このように形成されたパッケージが食品を充填されてシールされる。そのようなパッケージの例は、Ｔｅｔｒａ  Ｒｅｘ（テトラ・レックス）（登録商標）の名称で一般に知られているいわゆる「山形頂部」パッケージである。
【０００７】
そのようなパッケージを開封するために、様々な解決策が提案されている。その１つは米国特許第４６５５３８７号および同第４４１０１２８号に記載されたもので、パッケージのフラップの隅部に包装材料の外側層を通して遮蔽層まで延在する一連の穿孔によって形成される優先破断線を形成することにあり、パッケージはそのフラップを持ち上げ、穿孔に沿って切断または破断することで開封される。しかしながらこの形式のパッケージは、明らかなように、一旦開封したならば閉じることができず、したがってパッケージ内に残存する食品が飛散しないように注意して取り扱わなければならない。
【０００８】
その問題に対する解決策の例として、上述で説明した形式のパッケージは閉栓可能な開口装置を備えており、この装置は、開口を形成し、パッケージ壁の穴、または差込みまたは取り外し可能な部分の上に取り付けられるフレームと、そのフレームにヒンジ連結されたキャップとを実質的に含む。キャップは一般にはフレームと一体にモールド成形され、このキャップは最初は開口を取り囲む周縁に沿って薄い破断可能な環状連結部によりフレームにシールされている。開封されたならば、キャップはフレームと流体密な状態で協働する閉位置と開位置との間を移動できる。これに代えて、ねじキャップも使用され、このキャップはフレームとは別個に形成され、最初はフレームに螺合されている。
【０００９】
このような開口装置で与えられる１つの問題は、パッケージ開封時にフレームからキャップを取り外すために実際的な労力が要求されないようにすることである。そのために、開口装置は破断強度の小さいプラスチック材料、一般にはポリエチレンで形成されている。
【００１０】
しかしながらポリエチレンは効果的な酸素遮蔽層として作用できないので、最終的にパッケージの内面を形成することになる包装材料面は熱シール可能プラスチック材料の小さなシートで形成した付加的なパッチ部材を穴の上に取り付け、包装材料の反対側の面は、そのパッチ部材に対して熱シールされ且つアルミニウム層を含む例えば取り外し可能な舌部のような酸素遮蔽部材を取り付けなければならない。
【００１１】
遮蔽層およびパッチ部材を包装材料に備えることは包装材料の付加的な処理を必要とし、またその前に殺菌、折り曲げおよびシールして垂直チューブにしなければならず、したがって製造時間およびパッケージの価格を増大させることになる。
【００１２】
さらに、キャップを開封した後、使用者はパッケージを開けるために遮蔽部材も除去しなければならない。
【００１３】
したがって、１動作でパッケージを開封でき、同時に効果的な酸素遮蔽を保証するために、閉栓可能な開口装置が備えられてきた。
【００１４】
国際特許出願ＷＯ９５／０５９９６またはヨーロッパ特許出願ＥＰ−Ａ−１０８８７６５に記載された解決策によれば、そのような開口装置は、注ぎ口を形成し、パッケージの差込み部分の周囲に取り付けられる円筒形のカラーを有するフレームと、開口を閉じるためにフレームのカラーの外側に螺合される取り外し可能なキャップと、フレームのカラーの内側に螺合され、パッケージの差込み部分と協働して相対する壁から、すなわち小さな角度の部分を除いて、差込み部分を部分的に取り外す例えば多数の三角歯または１つの鋸歯カッターのような切断手段を有する実質的に円筒形の切断部材とを実質的に含む。
【００１５】
切断部材はカラーからキャップを係合解除するときに作動される一方向ラチェット式伝達手段によりキャップで作動され、また切断部材は差込み部分と向かい合う上限の係止位置から、差込み部分と相互作用する連続的な下限の切断位置へフレームに対して螺旋状に移動できる。
【００１６】
完全に機能的で、パッケージを１動作で開封できるようにするにも拘わらず、この形式の開口装置、すなわち多数の歯または１つのカッターを備えた筒状の切断部材を含む装置は、特に、しばしば変動的ないわゆる「急激流出（ｇｕｌｐｉｎｇ）」を特徴とする食品の注ぎ出しに関して改良の余地が残っている。それは、食品を注ぎ出すためにパッケージを傾けることで、自由面が常に水平である内部の液体食品がパッケージ内部の切断部材の端縁を完全に濡らし、またフレームのカラーの最も外側の端縁を部分的に濡らし、これによりパッケージの内部を外部から隔絶してパッケージ内部に真空を発生させるときに発生するのであり、これが食品の流出を遅くしたり、最終的には止めてしまう傾向を示す。上述した状況を、例えば空気が入るようにパッケージの傾きを調整して修正することにより食品は勢い良く流出し、これはパッケージが開封されてフレームの延長部分を形成するフレームおよび切断部材の全体的な軸線方向の寸法に直接に比例するパッケージの傾き角度の範囲で起きる。
【００１７】
【発明が解決しようとする課題】
本発明の目的は、周知の開口装置に典型的に関連する上述の欠点を解消するように設計された流動食品の密封パッケージ用の閉栓可能な開口装置を提供することである。
【００１８】
【課題を解決するための手段】
本発明によれば、貫通穴が設けられていて密封パッケージの差込み部分の周囲に取り付けられたフレームと、
前記フレームに螺合されて前記貫通穴を閉じるようになっている取り外し可能なねじ付きのキャップと、
前記貫通穴に移動可能に挿入され、前記密封パッケージを開封して前記フレームからキャップを取外す間に、前記キャップに対して該キャップの回転方向に連結され、前記差込み部分を前記密封パッケージから部分的に切り離すために前記フレームから前記密封パッケージの内部へ向かって前記貫通穴の中心軸線の方向に突出するようになっている管状の切断部材とを備えた、流動食品を収容した密封パッケージ用の閉栓可能な開口装置であって、
食品を注ぐときに密封パッケージ内に空気を入れるために、前記切断部材の側壁に、互いに前記貫通穴の中心軸線の方向へ変位した位置にあり、したがって前記側壁の円周方向へ互いに整合していない複数の貫通孔が設けられていることを特徴とする開口装置が提供される。
【００１９】
本発明の好ましい非制限的な実施例が添付図面を参照して例を挙げて説明される。
【００２０】
【発明の実施の形態】
図１の符号１は流動食品用の、例えばＴｅｔｒａ  Ｂｒｉｋ  Ａｓｅｐｔｉｋ（登録商標）として知られた平行六面体の形状のパッケージのような殺菌シールパッケージの全体を示しており、このパッケージは先に詳細に説明したようにシート状の包装材料から形成されており、またプラスチック材料で形成されて通常の方法、例えば接着剤により、または極小火炎またはレーザーによるシール技術を用いてパッケージ１に取り付けられた閉栓可能な開口装置２を含んでいる。
【００２１】
この包装材料は複層構造を有し、またパッケージ１の頂壁３に軸線Ａを有する円形の差込み部分４を含んでおり、この差込み部分４は使用においては外側を開口装置２で覆われ、またパッケージ１の食品を注ぎ出すために頂壁３から少なくとも部分的に取り外される。
【００２２】
低温殺菌した食品（例えばヨーグルト、クリーム、および他の低温食品）用の非無菌パッケージの場合には、包装材料は外面および内面をそれぞれ例えばポリエチレンのような熱可塑性材料の層で覆われた通常は紙とされる繊維材料の層を含み、差込み部分４は繊維材料の層に形成され、一連の穿孔によって形成された優先的破断線によって定められる。
【００２３】
ＵＨＴミルクのような長期保存食品用の無菌パッケージの場合には、包装材料はパッケージ１内の食品と最終的に接触することになる面に例えばアルミニウムのような遮蔽材料の層を含み、この層はさらに１以上の熱可塑性材料の薄で覆われるのであり、また差込み部分４は繊維材料の層に形成された軸線Ａを有する穴を覆う熱可塑性材料および遮蔽材料の層のそれぞれの部分で形成される。
【００２４】
図２〜図５を参照すれば、開口装置２は、差込み部分４の周囲でパッケージ１の頂壁３上に取り付けられ、食品が注ぎ出される軸線Ａを有する貫通穴６を形成するフレーム５と、フレーム５とは別個に形成され、穴６を閉じるためにフレーム５に同軸的に取り付けられるキャップ７と、軸線Ａを有する管状の切断部材８とを含んでおり、切断部材８は穴６と軸線方向および角度方向へ移動できるように係合し、キャップ７によって作動されて、頂壁３の差込み部分４と相互作用してパッケージ１を開封する。
【００２５】
さらに詳しくは、フレーム５は円環状の基部フランジ９を含んでおり、その端面９ａは差込み部分４の周囲でパッケージ１の頂壁３上に取り付けられる。またその半径方向の内縁から穴６を形成する軸線Ａの円筒形のカラー１０が軸線方向に突出している。
【００２６】
カラー１０は反対方向の側面１１，１２に、軸線Ａに対して反対方向に傾く外側ねじ１３および内側ねじ１４を含んでおり、使用においてそれらのねじはそれぞれキャップ７のねじ１５および切断部材８のねじ１６と係合する。さらに詳しくは、外側ねじ１３はフランジ９に隣接した底部の円筒形の帯部分を除く側面１１の大半に沿って延在する。同様に、ねじ１４はフランジ９と反対側の端部のカラー１０の端縁１７に隣接した頂部の円筒形の帯部分を除く側面１２の大半に沿って延在する。
【００２７】
ねじ１４は複数山、図示例では３山のねじであり、ねじ１３よりもピッチは大きい。
【００２８】
カラー１０は、側面１１上で、ねじ１３の一端とフランジ９との間にて、フランジ９から一定の軸線方向距離に配置された環状リブ１８をさらに含んでいる。
【００２９】
図１〜図６および図７を参照すれば、キャップ７は中空の円筒形本体を含んでおり、この本体は穴６を閉じるための円形端壁１９と、端壁１９の周縁から突出した円筒形の側壁２０とによって形成され、側壁は内面にねじ１５を含み、フレーム５のカラー１０に螺合される。
【００３０】
端壁１９は側壁２０に隣接して側壁２０と共にカラー１０の端縁１７を受け止めるための受け座２６を形成する突出した環状リブ２５を含んでいる。
【００３１】
キャップ７は通常の方法により、端壁１９とは反対側の端部で多数の破断可能な半径方向の連結箇所によってキャップ７の端縁２８に同軸的に連結されてたそれぞれの悪戯防止リング２７と一体的にモールド成形されている。
【００３２】
キャップ７は最初にシール状態にてフレーム５に取り付けられ、この状態ではキャップはカラー１０に対して完全にねじ込まれ、キャップの端縁２８および悪戯防止リング２７は互いに連結されており、カラー１０の環状リブ１８の両側に係止されている。さらに詳しくは、シール状態では、悪戯防止リング２７はフランジ９と環状リブ１８との間に噛み合わされ、またキャップ７の受け座２６はカラー１０の端縁１７と係合されている。
【００３３】
開封されたならば、キャップ７はカラー１０から螺合解除されてフレーム５から取り外された開位置と、穴６を閉じる閉位置との間を移動可能とされる。
【００３４】
図２〜図７を参照すれば、円筒形の側壁２９の外面２９ａにねじを有する切断部材８はねじ１６をねじ１４に係合してフレーム５のカラー１０の内側に連結され、またパッケージ１を開封するために差込み部分４と協働する切断手段３１を表面に有する端縁３０を有している。
【００３５】
パッケージ１を開封するとき、上限の係止位置（図３）から下限の開口位置（図５）へと差込み部分４を通して切断部材８が移動される軸線Ａに沿う螺旋路をねじ１４およびねじ１６が形成する。さらに詳しくは、上限の係止位置では、切断部材８はカラー１０の内側に完全に収容され、切断手段３１はパッケージ１の差込み部分４に対面される。また、下限の開口位置では、切断部材８はカラー１０に対して軸線方向へ突出し、パッケージ１の内部へ所定の距離を侵入し、差込み部分４の切断を完了して、小さな角度部分で差込み部分を頂壁３に取り付けたまま残す。
【００３６】
上限位置から下限位置へ向かう切断部材８の移動量は、一方向の角度伝達手段３５（図３〜図６）によりキャップ７で制御され、伝達手段は切断部材８が下限位置に達したならば選択的に消勢することができる。
【００３７】
さらに詳しくは、伝達手段３５は、鋸歯の形状を有し、キャップ７の端壁１９から突出し、シール位置および閉位置で軸線Ａのまわりに等角度間隔の複数の、図示実施例では４つの第１の歯３６と、同様に鋸歯の形状を有し、切断部材８の内面３８から半径方向へ突出し、パッケージ１の開封時にキャップ７をカラー１０から係合解除するときに軸線方向には自由で、角度方向には一体にされるように第１の歯３６と噛合う第２の歯３７とを含んでいる。さらに詳しくは、キャップ７の係合解除は、軸線Ａのまわりのキャップ７の反時計方向の回転方向Ｒで図１に示されている。
【００３８】
さらに詳しくは、各第１の歯３６は、キャップ７の端壁１９から直角方向に突出する連結部分３９と、連結部分３９からカラー１０へ向かって突出し、鋭い三角形の形状をした横断面を有する噛合い部分４０とを含む。さらに詳しくは、噛合い部分４０は、２つの斜め外方へ向かって狭まる側面４１，４２で形成されており、連結部分３９に対して一層急な傾斜の側面（４１）はキャップ７の回転方向Ｒにおけるそれぞれの歯３７の受け座を形成し、他方の側面４２は回転方向と反対の方向での歯３７の角度方向の滑動を可能にする。
【００３９】
それぞれの歯３７は切断部材８の軸線方向の全高を延在し、また歯３６の噛合い部分４０と同じ鋭い三角形の形状で、２つの斜めの先細状の側面４３，４４により形成される横断面を有する。切断部材８の内面３８に対して一層急な傾斜の側面（４３）はそれぞれの歯３６の側面４１に面する。
【００４０】
切断手段３１は鋸歯カッター４５と、そのカッター４５から始まって端縁３０の円弧に沿って等間隔な複数の、図示実施例では４つの実質的に二等辺三角形の形状をした歯４６を含んでいる。さらに詳しくは、カッター４５はキャップ７がフレーム５から螺合解除されるときの歯４６に対して切断部材８の回転方向の下流に位置される。
【００４１】
切断部材８はフレーム５に対して移動され、カッター４５および歯４６は差込み部分４の円周の大部分、図示実施例ではほぼ３／４に沿って作用して、差込み部分４を部分的に、すなわち所定の部分を除いて頂壁３から取り外す。
【００４２】
カッター４５は端縁３０に対して軸線方向に突出しており、頂壁３の差込み部分４に対して交差する方向の切断縁４７と、軸線Ａに対して傾き、切断縁４７の自由端を端縁３０と結んでいる側方切断縁４８とで形成される。
【００４３】
本発明の重要な特徴は切断部材８が側壁２９に沿って複数の貫通孔５０を、図示実施例では２組の四角形開口を側壁２９の直径方向の反対両側に含み、パッケージ１が注ぎ出し状態に傾けられたときに、たとえパッケージ内の液体食品がカラー１０の端縁１７を完全に濡らしてもパッケージ１内へ空気が入るようにして、パッケージ１内の圧力が外部の圧力と均衡して食品が急激に流れることなく滑らかに注出されるようにしたことである。
【００４４】
さらに詳しくは、各組の孔５０は互いに対して軸線方向に偏倚（即ち変位）した位置にあり、したがって側壁２９の円周方向へ互いに整合していない。
【００４５】
実際の使用において、図３に示すように、密封状態のパッケージ１はキャップ７を軸線Ａに対してＲ方向へ回転してキャップをカラー１０から螺合解除することにより開封される。
【００４６】
キャップ７が軸線ＡのまわりをＲ方向へ回転されるとき、組み合うねじ１３，１５は同時にキャップ７を頂壁３から軸線方向に引き離すように移動させ、カラー１０のリブ１８に対して軸線方向に係止して保持された悪戯防止リング２７にキャップを連結している半径方向の部分を破断させるようにする。
【００４７】
キャップ７の初動時には、第１の歯３６は切断部材８の第２の歯３７のそれぞれの側面４３に側面４１が係止されて位置決めされ、したがって切断部材８は軸線のまわりをＲ方向へ回転される。
【００４８】
反対方向に傾いた組み合うねじ１３，１５および１４，１６により、パッケージ１の頂壁３から引き離されるキャップ７の軸線方向の移動は、頂壁３へ向かう切断部材８の軸線方向の同時の移動を伴う。さらに詳しくは、切断部材８はキャップ７により、それぞれの側面４１，４３において接触する歯３６，３７によって回転されるが、ねじ１３，１５および１４，１６のそれぞれの組によりキャップ７および切断部材８に伝えられる螺旋状の運動によって互いに対する軸線方向への滑動を同時に生じる。
【００４９】
軸線Ａのまわりのキャップ７のＲ方向の最初の回転は、切断部材８の等しい回転を生じると同時に、カッター４５の端部および歯４６による差込み部分４への軸線方向の侵入を生じる。
【００５０】
したがって、差込み部分４の包装材料は様々な箇所で侵入（差込み）され、キャップ７に対して加えられる開封力は小さい。
【００５１】
キャップ７がさらに回転されると、切断部材８の回転方向において歯４６の下流に位置するカッター４５は角度方向へ前進され、切断縁４７が差込み部分４を通り、頂壁３から差込み部分の周縁を取り外す。角度方向へ前進するときにカッター４５および歯４６が同様に軸線方向へ差し込まれることにより、頂壁３から次第に取り外された差込み部分４の一部は切断縁４７の近くで皺を形成し、頂壁３から未だ取り外されていない差込み部分４へ向かってパッケージ１の内方へ次第に折り曲げられる。
【００５２】
パッケージ１がカッター４５および歯４６による軸線方向の差し込みがある程度行われたならば、すなわち差込み部分４が端縁３０と接触する程度、図示実施例ではカッター４５および歯４６が軸線Ａのまわりをほぼ２７０゜ほど前進されたときに、軸線Ａのまわりのカッター４５および歯４６のさらなる回転は未だに頂壁３に取り付いた状態の差込み部分４を切断することなく切断部材８の外側へ向けて折り曲げるように単純に作用する。
【００５３】
キャップ７のさらなる螺合解除は、この時点で軸線Ａのまわりにほぼ１回転されているが、歯３６，３７（図５）を軸線方向に解除し、これにより切断部材８はフレーム５から軸線方向へ突出した下限の開口位置に拘束され、組み合うねじ１４，１６によってカラー１０に固定される。
【００５４】
その後キャップ７はパッケージ１を開封するために完全に螺合解除され、パッケージはキャップ７をカラー１０へ単純に取り付けることで閉栓することができる。
【００５５】
パッケージ１が開封されたならば、キャップ７の第１の歯３６は切断部材８の歯３７と係合する軸線方向位置に達することができないので、切断部材８はもはや下限の開口位置から移動することはできず、切断部材８は下限の開口位置にあって穴６のいかなる詰まりも防止できるように差込み部分４の切断部分を外側に保持する。
【００５６】
説明したように、切断部材８が下限位置にあり、パッケージ１が食品を注ぎ出すために傾けられたとき、パッケージ１の頂壁３の平面よりも下方に位置する孔５０は、たとえパッケージ内の液体食品が切断部材８の端縁３０の全体およびフレーム５のカラー１０の端縁１７の一部を濡らしたとしても、パッケージ１内に空気が入れるようにする。その状態では、パッケージ１内の圧力は外部の圧力と均衡して、食品は急激に流れることなく滑らかに注ぎ出される。換言すれば、切断部材８の側壁２９に沿って孔５０を備えることで、開口装置２は食品の注ぎ出し時に切断部材８の無い状態と同様に様々に機能する。
【００５７】
さらに、周知の開口装置と比較すると、孔５０はパッケージ１からの食品の流出量を増大させ、また食品が切断部材８とパッケージ１との間に留まることを防止することによってパッケージ１を空にできるようにする。
【００５８】
明らかなように、本明細書に記載し図示した開口装置２に対して、特許請求の範囲に記載した範囲から逸脱することなく変更を行うことができる。
【図面の簡単な説明】
【図１】本発明による閉栓可能な開口装置を有する流動食品の密封パッケージのチューブの斜視図を示す。
【図２】それぞれのパッケージに取り付けられた図１の開口装置の拡大した分解側面図を示す。
【図３】シール状態のパッケージに取り付けられた図１の開口装置の拡大した軸線方向の断面図を示す。
【図４】図３の栓ＩＶ−ＩＶに沿う断面図を示す。
【図５】パッケージの開口時の図１の開口装置の拡大した軸線方向の断面図を示す。
【図６】図１の開口装置のキャップの拡大した下部斜視図を示す。
【図７】図１の開口装置の切断部材の拡大した側面図を示す。
【符号の説明】
１  パッケージ
２  開口装置
３  頂壁
４  差込み部分
５  フレーム
６  貫通穴
７  キャップ
８  切断部材
９  フランジ
１０  カラー
１１，１２  側面
１３，１４，１５，１６  ねじ
１７  端縁
１８  環状リブ
１９  端壁
２０  側壁
２５  環状リブ
２６  受け座
２７  悪戯防止リング
２８  端縁
２９  側壁
３０  端縁
３１  切断手段
３５  伝達手段
３６  第１の歯
３７  第２の歯
３８  内面
３９  連結部分
４０  噛合い部分
４１，４２  側面
４３，４４  側面
４５  カッター
４６  歯
４７  切断縁
５０  貫通孔
【図１】
0004601242.tif 000002
【図２】
0004601242.tif 000003
【図３】
0004601242.tif 000004
【図４】
0004601242.tif 000005
【図５】
0004601242.tif 000006
【図６】
0004601242.tif 000007
【図７】
0004601242.tif 000008